(57)【要約】【課題】簡易な構造で、かつ、小型の足囲計測器を提供する。【解決手段】横延部４と、第１脚部５と、第２脚部２と、第２脚部２の下端部に固定され、足囲における足の他方の側面から足の一方の側面に至るまでの足の上面に接触し、横延部４に沿って水平方向Ｙに延びる目盛を有する可撓性の帯状部材Ｍと、第２脚部２と一体に第１脚部５に対し相対移動し、帯状部材Ｍにおける足囲値を読み取る位置を示す指標部２Ｍと、帯状部材Ｍにおける第１脚部５の下端部から上端部に至る足囲に含まれないオフセット量を指標部２Ｍが指す足囲値に含まれないようにするためのオフセット部ＯＦＦとを備えている。【選択図】図３
2011030931.tif 000002
【特許請求の範囲】
【請求項１】
足囲の測定時に水平方向に延びる横延部と、
足の一方の側面に接触する第１接触面を有し、前記横延部から下方に向って延びる第１脚部と、
足の他方の側面に接触する第２接触面を有し、前記横延部から下方に向って延び、前記第１接触面から第２接触面までの距離が足幅に応じて変化するように、かつ、前記横延部に沿って前記水平方向に前記第１脚部に対し相対移動する第２脚部と、
前記第２脚部の下端部に固定され、足囲における足の前記他方の側面から足の前記一方の側面に至るまでの足の上面に接触し、前記第１脚部の下端部を通って前記第１脚部に沿って上方に立ち上がり、更に前記横延部に沿って前記水平方向に延びる目盛を有する可撓性の帯状部材と、
前記第２脚部と一体に前記第１脚部に対し相対移動し、前記横延部に沿って水平方向に延びる前記帯状部材における足囲値を読み取る位置を示す指標部と、
前記帯状部材における前記第１脚部の下端部から上端部に至る前記足囲に含まれないオフセット量を前記指標部が指す足囲値に含まれないようにするためのオフセット部とを備え、
前記オフセット部が下記の（１）もしくは（２）のうちの少なくとも一方により構成されている足囲計測器
（１）前記帯状部材における前記第２脚部の下端部から前記指標部までの間の部位
（２）前記第２接触面に対し前記指標部が水平方向に突出する突出部を有しており、当該指標部における突出部。
【請求項２】
請求項１において、前記横延部には足幅に関する測定用の目盛が設けられている足囲測定器。
【請求項３】
請求項２において、前記横延部は足長方向に２分割された一対の合成樹脂部材が互いに接合されて形成され、
前記一対の合成樹脂部材の互いに対面する面に、前記水平方向に延びるガイドレールが形成され、
前記ガイドレールに嵌り前記水平方向にスライドするスライダと共に一体に前記第２脚部が前記ガイドレールに沿って水平移動する足囲測定器。
【発明の詳細な説明】
【技術分野】
【０００１】
本発明は足囲計測器に関するものである。
【背景技術】
【０００２】
近年、シューズメーカーは、顧客の足の太さに合わせた製品を販売している。たとえば、足の太さを基準に、「ナロータイプ」や「ワイドタイプ」など種々のタイプの靴が販売されている。顧客の足がどのタイプの靴に適しているかは、顧客の足を計測して足の太さを把握する必要がある。
【０００３】
前記足の太さを把握する上で必要なのは足長と足囲であり、足の太さは前記足長と足囲とのバランスで判定する。足囲とは、親指と小指の付け根を通る断面の周囲の長さであり、細い帯状のメジャーを足の回りに一周させて計測するのが一般的である。
【０００４】
しかし、足囲を計測するには、顧客が爪先を上げる必要があり、また、足の上げ下ろしを顧客に指示する必要があるので煩雑である。さらに、イベント会場などは喧騒としており、指示が顧客に聞こえにくく、計測し辛い。
そこで、各店舗で使用するための足囲計測器が提案されている（特許文献１および２参照）。
【先行技術文献】
【特許文献】
【０００５】
【特許文献１】実公平２−１２８８２号（第１図）
【特許文献２】特開２０００−５１１８３（要約書、図１、図３）
【発明の概要】
【発明が解決しようとする課題】
【０００６】
しかし、前記特許文献１の計測器は顧客の足裏全体を計測器上に載せて計測を行う必要がある。そのため、計測器が大型となり狭い店舗などでは場所を専有し不便である。また、顧客が該計測器の所定位置に足を載せるように指示する必要があるので煩雑である。
一方、特許文献２の計測器も前記特許文献１と同様に足裏全体を計測器上に載せる必要があるから大型であると共に、複雑な構造をしており取り扱いや保守が煩雑である。
【０００７】
したがって、本発明の目的は、計測器の所定の位置に足を載せる必要がなく、かつ、小型な足囲計測器を提供することである。
【課題を解決するための手段】
【０００８】
前記目的を達成するために、本発明の足囲計測器は、足囲の測定時に水平方向に延びる横延部と、足の一方の側面に接触する第１接触面を有し、前記横延部から下方に向って延びる第１脚部と、足の他方の側面に接触する第２接触面を有し、前記横延部から下方に向って延び、前記第１接触面から第２接触面までの距離が足幅に応じて変化するように、かつ、前記横延部に沿って前記水平方向に前記第１脚部に対し相対移動する第２脚部と、前記第２脚部の下端部に固定され、足囲における足の前記他方の側面から足の前記一方の側面に至るまでの足の上面に接触し、前記第１脚部の下端部を通って前記第１脚部に沿って上方に立ち上がり、更に前記横延部に沿って前記水平方向に延びる目盛を有する可撓性の帯状部材と、前記第２脚部と一体に前記第１脚部に対し相対移動し、前記横延部に沿って水平方向に延びる前記帯状部材における足囲値を読み取る位置を示す指標部と、前記帯状部材における前記第１脚部の下端部から上端部に至る前記足囲に含まれないオフセット量を前記指標部が指す足囲値に含まれないようにするためのオフセット部とを備え、前記オフセット部が下記の（１）もしくは（２）のうちの少なくとも一方により構成されている。
（１）前記帯状部材における前記第２脚部の下端部から前記指標部までの間の部位。
（２）前記第２接触面に対し前記指標部が水平方向に突出する突出部を有しており、当該指標部における突出部。
【発明の効果】
【０００９】
今、２つの脚部の間に前足部が位置するように、本足囲計測器を置き、帯状部材であるメジャーを足囲における足の上面に接触させる。この状態で、メジャーには足囲に含まれない第１脚部の下端部から上端部に至るオフセット量が含まれているので、前記指標部が指す足囲値に前記オフセット量が含まれないようにする必要がある。
したがって、前記オフセット量に相当する長さを持つオフセット部を設けることにより、足囲を測ることができる。
【００１０】
特に、本発明においては計測器上に足を載せる必要がなく本足囲計測器の一対の接触面を足の上方から足の側面に当接させるだけの簡単な操作で、かつ、演算用のコンピュータを用いることもないので、極めて簡単な小型の器具で足囲を計測することができる。
【図面の簡単な説明】
【００１１】
【図１】本発明にかかる足囲計測器の計測方法を示す斜視図である。
【図２】同計測方法を示す斜視図である。
【図３】足囲計測器を示す一部破断した概略正面図である。
【図４】図４（ａ）は図３におけるＩＶａ−ＩＶａ線概略断面図、図４（ｂ）は図３におけるＩＶｂ−ＩＶｂ線概略断面図、図４（ｃ）は図３におけるＩＶｃ−ＩＶｃ線概略断面図、図４（ｄ）は図３におけるＩＶｄ−ＩＶｄ線概略断面図である。
【図５】足囲の計測方法の原理を示す概念図である。
【図６】実施例１の足囲計測器の変形例を示す概略正面図である。
【図７】実施例２の足囲計測器を示す概略正面図である。
【図８】実施例３の足囲計測器を示す概略正面図である。
【図９】実施例４の足囲計測器を示す概略正面図である。
【図１０】実施例５の足囲計測器を示す概略正面図である。
【発明を実施するための最良の形態】
【００１２】
本発明における好ましい態様において、前記横延部には足幅に関する計測用の目盛が設けられている
【００１３】
かかる態様によれば、第１接触面と第２接触面との間の距離は、足幅に相当するので、前記足囲の測定時には足幅を同時に計ることが可能である。したがって、足幅を読み取るための目盛りなどを設けることにより、足幅等を知ることができる。
【００１４】
本発明における好ましい態様において、前記横延部は足長方向に２分割された一対の合成樹脂部材が互いに接合されて形成され、前記一対の合成樹脂部材の互いに対面する面に、前記水平方向に延びるガイドレールが形成され、前記ガイドレールに嵌り前記水平方向にスライドするスライダと共に一体に前記第２脚部が前記ガイドレールに沿って水平移動する。
【００１５】
前記両接触面の間の距離は足囲の計測値に直接的に影響する。したがって、前記相対移動により前記両脚部と前記横延部とのなす角度が変化してはならない。
ここで、ガイドレールにスライダが嵌まり込んでいるため、第２脚部がガイドレールに沿ってスムースに移動し前記角度に変化が生じない。
【００１６】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【実施例１】
【００１７】
図１〜５は実施例１を示す。
図１および図２に示すように、足囲計測器は横延部４、第１脚部５および第２脚部２を備えている。
【００１８】
前記第１脚部５は、足囲の測定時に水平方向Ｙに延びる横延部４の先端部４ａに一体に設けられ、略Ｌ字状の本体１を構成している。図３において第１脚部５は足Ｆの一方の側面Ｆｓ１、たとえば、小指ｆ５（または親指ｆ１）の付け根付近の外側面に接触する第１接触面５１を有しており、前記横延部４から下方に向って延びている。
【００１９】
前記横延部４には、略Ｉ字状の第２脚部２が摺動自在に設けられている。前記第２脚部２は足Ｆの他方の側面Ｆｓ２、たとえば、親指ｆ１（または小指ｆ５）の付け根付近の外側面に接触する第２接触面２２を有しており、前記横延部４から下方に向って延びている。
したがって、足囲計測器は略Ｌ字状の前記本体１と略Ｉ字状の第２脚部２とが組み合わされた略Ｆ字状に形成されている。
【００２０】
第２脚部２：
図３に示す第２脚部２は、横延部４に沿って水平方向Ｙに前記第１脚部５に対して相対移動可能に設定されている。
【００２１】
図４（ａ）〜図４（ｃ）に示すように、前記横延部４は、足長方向Ｆｄに２分割された一対の合成樹脂部材１０が互いに接合されて形成されている。
図３および図４（ｂ）に示すように、前記一対の合成樹脂部材１０の互いに対面する面には、水平方向Ｙに延びる溝状のガイドレール１１が形成されている。
【００２２】
図４（ｃ）に示すように、前記第２脚部２の上端部は、前記ガイドレール１１に嵌まり水平方向Ｙにスライドするスライダ２０が一体に形成されている。図３に示すように、前記スライダ２０は第１脚部５側に向って水平方向Ｙに向って延設されている。
【００２３】
図４（ｂ）の前記溝状のガイドレール１１の上面１１ａおよび下面１１ｂには、それぞれ、前記スライダ２０の第１摺接面２０ａおよび第２摺接面２０ｂが隙間なく接している。
したがって、顧客の足幅に応じて第２脚部２が水平方向Ｙに移動し、第１接触面５１から第２接触面２２までの足幅に相当する距離Ｗが変化する。一方、第２脚部２のスライダ２０が横延部４のガイドレール１１に嵌まり込んでいるため、第２脚部２と横延部４とのなす角度が変化しない。
【００２４】
図３の前記スライダ２０および横延部４には、手を離しても目盛りを読み取ることができるように、たとえば、輪ゴムなどの弾性部材を係止するための係止部２２，５２がそれぞれ形成されており、前記弾性部材によって第２脚部２は第１脚部５に向って付勢されていてもよい。なお、必ずしも前記弾性部材を設ける必要はない。
【００２５】
メジャーＭ：
図１および図２に示すように、前記本体１および横延部４には目盛Ｍｄを有するメジャー（帯状部材）Ｍが設けられている。
図３に示すように、前記メジャーＭは、その一方の端部Ｓが、第２脚部２のたとえば下端面２３に固定されている。本実施例において、メジャーＭは足囲における足の他方の側面Ｆｓ２から足の一方の側面Ｆｓ１に至まで足の両側面Ｆｓ２，Ｆｓ１および上面Ｆｕに接触し、第１脚部５の下端部５ｄを通って第１脚部５に沿って上方Ｚ１に立上り、更に、横延部４に沿って水平方向Ｙに延びるように配置されている。
なお、前記メジャーＭの遊端部は横延部４の後端部４ｂよりも長く延設されている。
【００２６】
図３および図４（ａ）に示すように、第１脚部５にはメジャーＭが挿通されるスリット状の第１挿通孔１ａが形成されている。図３に示すように、第１脚部５の上端部５ｕと連なる横延部４のコーナ部４ａは、メジャーＭをスムースに案内するために円弧状に形成されている。前記第１挿通孔１ａは、第１脚部５の下端部５ｄから横延部４のコーナ部４ａまで形成されている。前記横延部４の後端部４ｂの近傍にはメジャーＭが挿通されるスリット状の第２挿通孔１ｂが形成されている。前記横延部４において、前記第１挿通孔１ａと第２挿通孔１ｂ以外の上面にはメジャーＭを案内・配置するための浅い溝１ｓが形成されている。
【００２７】
第１脚部５の下端部５ｄには、前記メジャーＭを案内する回転ローラ６が設けられている。図４（ｄ）に示すように、前記回転ローラ６は、第１脚部５に固定された回転軸６０を中心に回転可能に設定けられている。
【００２８】
したがって、図３に示す第２脚部２が足幅に応じて移動されると、メジャーＭが第２挿通孔１ｂ、溝１ｓおよび第１挿通孔１ａを通り、回転ローラ６の回転によって、メジャーＭが足Ｆの両側面Ｆｓ１，Ｆｓ２および上面Ｆｕに沿うように移動する。
【００２９】
指標部２Ｍ：
図４（ｃ）に示すように、第２脚部２の上部には、横延部４の両側面を覆うカバー部２１が固定されている。本実施例の場合、図３に示すように、前記第２脚部２の第１脚部５側の上面の側端は指標部２Ｍを構成しており、後述する測定原理の項で説明するように、指標部２Ｍが指し示すメジャーＭの目盛Ｍｄを読み取ることにより、足囲を測定することが可能である。
【００３０】
なお、図１および図２において、本計測器の構造を分かり易くするために、メジャーＭを覆っている合成樹脂部材１０の表面およびカバー部２１の表面は灰色に着色している。
また、図３，図７，図８，図９および図１０において、横延部４に対しスライド移動する部分には網点を施している。
【００３１】
足囲の測定方法：
足囲を測定するには、図１および図２に示すように、床面に足を付けた状態で、足囲計測器の第１脚部５と第２脚部２との間を開きながら、該第１脚部５および第２脚部２の下端面５３，２３を地面に接触させる。第１脚部５の第１接触面５１と、第２脚部２の第２接触面２２とが、それぞれ、たとえば、足Ｆの小指ｆ５の付け根付近の外側面および親指ｆ１の付け根付近の内側面に接触するように足囲計測器をセットする。
【００３２】
ついで、メジャーＭの遊端部Ｍｘを軽く引っ張ると、メジャーＭが第１および第２挿通孔１ａ，１ｂおよび溝１ｓに沿って移動し、メジャーＭに緩みのない状態となって、メジャーＭが足囲における足の他方の側面から足の一方の側面に至るまでの足の上面Ｆｕに接触する。
【００３３】
この状態で、前記指標部２Ｍが指し示すメジャーＭの目盛Ｍｄを読み取ることにより足囲を測ることができる。
【００３４】
測定原理：
つぎに、本足囲計測器による測定原理について説明する。
足囲は、図５（ａ）に示す線分Ｌの周長であるが、これは図５（ｂ）の線分Ｌ１の周長に近似される。この図５（ｂ）の線分Ｌ１の長さは、図５（ｃ）の２本の線分Ｌ２，Ｌ３の長さの和に等しい。これは、図５（ｄ）のように、更に近似化でき、図５（ｄ）の点Ｏｓから点Ｏｅまでの二点鎖線の線分Ｌｏの長さがオフセット量αとなる。このオフセット量αを図５（ｅ）のメジャーＭの始端側から除いた点をゼロ点Ｏ0 とすることにより、つまり、オフセット部ＯＦＦをメジャーＭに設けることにより、メジャーＭが指標部２Ｍ（図３）において足囲値を表示する。
【００３５】
前記測定原理において、オフセット部ＯＦＦはメジャーＭにおける指標部２Ｍから離れた位置に設ければよい。たとえば、図５（ｄ）のメジャーＭの始端Ｓから点Ｏｅまでは目盛を設けずに、点Ｏｅから適宜の値の目盛が始まるようにしてもよい。
【００３６】
また、前記オフセット部ＯＦＦは図７のようにメジャーＭに設けずに、指標部２Ｍに設けてもよい。
この例では、指標部２Ｍは第１接触面５１からメジャーＭの始端Ｓに向う水平方向Ｙに突出する突出部２５を有する。この突出部２５の第２接触面２２からの距離はオフセット量αに等しい値に設定されている。この場合、メジャーＭのゼロ点Ｏ0 はメジャーＭの始端Ｓに設定される。
【００３７】
また、前記オフセット部ＯＦＦは図８のようにメジャーＭおよび指標部２Ｍの双方に設けてもよい。この場合、メジャーＭおよび指標部２Ｍに設けた第１オフセット部ＯＦＦ１と第２オフセット部ＯＦＦ２の長さの和がオフセット量αに等しくなるように設定する。
前記第１オフセット部ＯＦＦ１の長さを長くすると共に、指標部２Ｍの位置を変えてもよい。更に、図８に示すゼロ点Ｏ0 の位置をメジャーＭの始端Ｓから遠くし、図８の二点鎖線で示す位置に指標部２Ｍ１を設定してもよい。
【００３８】
ところで、本足囲計測器において、図９に示すように、メジャーＭは少なくとも足の上面に接すればよい。この場合、図５（ｅ）の場合に比べ、下端部の高さΔ１，Δ２についてはメジャーＭで測定できない。しかし、この場合のオフセット量αは下記の (1)式で近似的に表される。
α＝β−（Δ１＋Δ２）  … (1)
但し、βは点Ｏｓ〜ＯｅまでのメジャーＭの長さ
【００３９】
ここで、図８や図９の場合、目視や設計上でオフセット量αを決定した場合には、オフセット量αに誤差が生じ易くなる。しかし、以下に説明するように、オフセット量αは目視や設計において求める必要はなく、物理学で用いられる検量線に近似した手法を用いて製造工程において求めてもよい。
【００４０】
まず、特定人Ａの足の足囲値Ｘを通常のメジャー（単体）で測る。一方、図８や図９の足囲計測器で、前記特定人Ａの足囲を測り、指標部２Ｍで計測される足囲値が前記足囲値Ｘとなるように、前記メジャーＭにおけるゼロ点Ｏ0 を定める。このゼロ点Ｏ0 の位置は前述のように近似して求められた位置よりも正確な位置となり得る。
【００４１】
したがって、図８や図９の構造でも足囲を計測することができ、また、こうしてゼロ点Ｏ0 を定める前記手法によれば、前記近似式と異なり、足囲値を正確に計測することができる。
かかる検量線の手法を用いるには、少なくともメジャーＭにオフセット部ＯＦＦを設ける必要がある。
【実施例２】
【００４２】
つぎに、他の実施例について説明する。以下に述べる各実施例においては、前述した実施例１と異なる部分について主に説明する。
図７は実施例２を示す。
図７に示すように、第２脚部２には、第１脚部５に向って水平方向Ｙに延設された突出部２５が一体に形成されている。前記突出部２５の第１脚部５側の端には指標部２Ｍが設定されている。
前記突出部２５のオフセット部ＯＦＦを構成する水平方向Ｙの長さは、前述したように、第２脚部２の第２接触面２２と同じ水平方向の位置２ｓから前記オフセット量αに等しくなるように設定されている。
【実施例３】
【００４３】
図８は実施例３を示す。
図８に示すように、第２脚部２には、第１脚部５に向って水平方向Ｙに延設された突出部２５が一体に形成されている。前記突出部２５の第１脚部５側の端には指標部２Ｍが設定されている。
本実施例３では、オフセット部ＯＦＦは第１オフセット部ＯＦＦ１と第２オフセット部ＯＦＦ２からなる。第１オフセット部ＯＦＦ１はメジャーＭの始端Ｓから所定のゼロ点Ｏ0 までの長さに設定されている。第２オフセット部ＯＦＦ２はオフセット量から前記オフセット部ＯＦＦ１を減算した長さであり、突出部２５の水平方向Ｙの長さに設定されている。
【００４４】
なお、前記第１オフセット部ＯＦＦ１の長さを長くすると共に、第２オフセット部ＯＦＦ２を長くすることにより、図８の二点鎖線で示すように、指標部２Ｍ１を第２脚部２の後端側に設けてもよい。
【実施例４】
【００４５】
図９は実施例４を示す。
図９に示すように、第２脚部２および第１脚部５の下端部には別のパーツ７が接着剤により固着されている。前記パーツ７は、その高さΔ１，Δ２が３ｍｍ〜１０ｍｍ程度に設定される。
そのため、メジャーＭは主として足Ｆの上面Ｆｕに密着する。
【００４６】
このように、前記第２脚部２の下端面２３に別のパーツ７を設けることにより、メジャーＭの始端Ｓが床面に直接接しないのでメジャーＭの始端Ｓ付近が経時的に摩耗するおそれがない。また、第１脚部５の下端部５ｄにパーツ７を設けることにより、図３の薄肉の第１脚部５の下端５３が破損するのを防止し得る。
【実施例５】
【００４７】
図１０は実施例５を示す。
図１０に示すように、この実施例の場合、第１脚部５は横延部４の後端部４ｂ側に一体に設けられており、本体１Ａは略Ｔ字型に形成されている。第２脚部２は横延部４の先端部４ａ側に横延部４に対し移動可能に設けられている。この実施例の場合、第１脚部５は横延部４に対し移動しないが、第２脚部２がスライドすることにより、第１脚部５が第２脚部２に対し相対移動する。
【００４８】
実施例１：
図６は実施例１の変形例を示す。
図１に示すように、横延部４の側面には足幅に関する計測用の第２目盛Ｍｅが設けられている。第１脚部５の第１接触面５１と、第２脚部２の第２接触面２２との間の距離は足幅に相当している。そのため、足幅を読み取るための第２目盛Ｍｅを読み取ることで足幅を知ることができる。
【００４９】
ここで、前記第２目盛Ｍｅは図６に示すＪＩＳウィズを換算するための目盛であってもよい。
ＪＩＳウィズとはＪＩＳ規格で規定されている足囲のサイズを表す規格である。
図６に示す指標部２Ｍに足長を合わせると、ウィズ指標部２Ｊが指し示す前記第２目盛Ｍｅの位置は顧客のＪＩＳウィズ値となる。
【産業上の利用可能性】
【００５０】
本発明の足囲計測器は足囲の測定に用いることができる。
【符号の説明】
【００５１】
２：第２脚部
２Ｍ，２Ｍ１：指標部
４：横延部
５：第１脚部
１０：合成樹脂部材
１１：ガイドレール
２０：スライダ
２２：第２接触面
５１：第１接触面
α：オフセット量
Ｍ：メジャー（帯状部材）
【図３】
2011030931.tif 000003
【図４】
2011030931.tif 000004
【図５】
2011030931.tif 000005
【図７】
2011030931.tif 000006
【図８】
2011030931.tif 000007
【図９】
2011030931.tif 000008
【図１０】
2011030931.tif 000009
【図１】
2011030931.tif 000010
【図２】
2011030931.tif 000011
【図６】
2011030931.tif 000012